(57)【要約】【課題】  圧電セラミックス材料からなる超音波受信素子と比較して、小型化に適し且つ受信感度の良い超音波受信素子、及びこれを用いた超音波トランスデューサを提供する。【解決手段】  本発明に係る超音波受信素子１は、薄膜状のメンブレン部８を有する半導体からなるダイヤフラム２と、該ダイヤフラム２のメンブレン部８に設けられた半導体ピエゾ抵抗素子Ｒ１，Ｒ２，Ｒ３，Ｒ４の抵抗値変化から受信超音波の音圧を検出する音圧検出回路９と、ダイヤフラム２の共振周波数を受信超音波の周波数に合わせる共振周波数調整機構５と、を具備するものである。また、本発明に係る超音波トランスデューサ１３は、半導体基板１４上に、圧電材料の圧電効果を利用して超音波を送信する超音波送信素子１５と、前記超音波受信素子１とがそれぞれ設けられたものである。【選択図】  図２
2009071395.tif 000002
【特許請求の範囲】
【請求項１】
超音波を受信してその音圧を検出する超音波受信素子において、
薄膜状のメンブレン部を有する半導体からなるダイヤフラムと、該ダイヤフラムのメンブレン部に設けられた半導体ピエゾ抵抗素子の抵抗値変化から受信超音波の音圧を検出する音圧検出回路と、前記ダイヤフラムの共振周波数を受信超音波の周波数に合わせる共振周波数調整機構と、を具備することを特徴とする超音波受信素子。
【請求項２】
前記共振周波数調整機構が、前記メンブレン部と所定間隔をおいて対向するように設けられた対向電極と、該対向電極及び前記メンブレン部の間に直流バイアス電圧を印加する直流バイアス電源と、を具備することを特徴とする請求項１に記載の超音波受信素子。
【請求項３】
前記ダイヤフラムにおけるメンブレン部以外の部分と前記対向電極との間に絶縁体が介在され、該絶縁体と前記メンブレン部と前記対向電極とによって包囲される空間が、外気圧より低く減圧されたことを特徴とする請求項２に記載の超音波受信素子。
【請求項４】
前記ダイヤフラムにおけるメンブレン部以外の部分と前記対向電極との間に絶縁体が介在され、前記メンブレン部と前記対向電極の少なくともいずれか一方に、前記絶縁体と前記メンブレン部と前記対向電極とによって包囲される空間を外部と連通するための連通穴が形成されたことを特徴とする請求項２に記載の超音波受信素子。
【請求項５】
半導体基板上に、圧電材料の圧電効果を利用して超音波を送信する超音波送信素子と、該超音波送信素子から送信された超音波を受信してその音圧を検出する請求項１乃至４のいずれかに記載の超音波受信素子とがそれぞれ設けられたことを特徴とする超音波トランスデューサ。
【請求項６】
前記超音波送信素子は、前記圧電材料がバルク材であることを特徴とする請求項５に記載の超音波トランスデューサ。
【請求項７】
前記超音波送信素子は、前記圧電材料が薄膜材であることを特徴とする請求項５に記載の超音波トランスデューサ。
【請求項８】
前記超音波送信素子の前記半導体基板全体に占める面積比率が、前記超音波受信素子の前記半導体基板全体に占める面積比率より大きいことを特徴とする請求項５乃至７のいずれかに記載の超音波トランスデューサ。
【請求項９】
前記超音波送信素子と前記超音波受信素子のうち、少なくともいずれか一方がアレイ状に設けられたことを特徴とする請求項５乃至８のいずれかに記載の超音波トランスデューサ。
【発明の詳細な説明】
【技術分野】
【０００１】
本発明は、超音波を受信してその音圧を検出する超音波受信素子及びこれを用いた超音波トランスデューサに関し、特に、ピエゾ抵抗素子が配置されたダイヤフラムと、このダイヤフラムの共振周波数を受信超音波の周波数に合わせる共振周波数調整機構とを備えた超音波受信素子及びこれを用いた超音波トランスデューサに関する。
【背景技術】
【０００２】
医療超音波診断では、探触子で発生した超音波を体内に送信し、体内の癌等で反射してきた超音波を探触子で受信することで異常組織を検出する。特に、臓器深部の微小な初期癌などの診断を行う場合、異常組織が小さいと反射信号が小さく、また深部からの反射信号は伝播時の減衰が大きいため、探触子の高感度化が課題となる。ここで、この探触子とは、いわゆる超音波トランスデューサであって、超音波の送信機能と受信機能の両方を備えるものである。従来のトランスデューサは、圧電セラミックス材料からなる単一の素子を備え、この素子を時間的に切り替えることにより、送信用の超音波送信素子及び受信用の超音波受信素子として兼用していた（例えば、特許文献１参照）。すなわち、素子に交流電圧を印加すると、圧電効果により素子が歪んで超音波が発生する。一方、素子に超音波を照射すると、同様に圧電効果により素子が歪んで交流電圧が発生するため、この交流電圧を検出することで超音波の音圧を検出することができる。
【０００３】
【特許文献１】特開平０８−１６８０９７号公報
【発明の開示】
【発明が解決しようとする課題】
【０００４】
しかし、従来の超音波トランスデューサは、小型化に適していないという問題がある。より詳細には、従来の超音波トランスデューサは、素子を構成する圧電セラミックス材料の微細加工が難しいため、素子の小型化が困難である。また、圧電セラミックス材料は、小型化しても比較的大きな送信出力を確保できるので、超音波送信素子を構成するには適しているが、小型化すると受信感度が悪くなるため、超音波受信素子を構成するには適していない。すなわち、素子を小型化して受信面積が小さくなると、これに比例して素子の静電容量が小さくなる。これにより、素子を含む回路のインピーダンスが高くなって十分なＳ／Ｎ比が取れないため、結果として高感度にできない。
【０００５】
本発明は、このような問題に鑑みてなされたものであり、圧電セラミックス材料からなる超音波受信素子と比較して、小型化に適し且つ受信感度の良い超音波受信素子、及びこれを用いた超音波トランスデューサを提供する。
【課題を解決するための手段】
【０００６】
上記目的を達成するための本発明に係る超音波受信素子は、超音波を受信してその音圧を検出する超音波受信素子において、薄膜状のメンブレン部を有する半導体からなるダイヤフラムと、該ダイヤフラムのメンブレン部に設けられた半導体ピエゾ抵抗素子の抵抗値変化から受信超音波の音圧を検出する音圧検出回路と、前記ダイヤフラムの共振周波数を受信超音波の周波数に合わせる共振周波数調整機構と、を具備するものである。
【０００７】
また、本発明に係る超音波受信素子は、前記共振周波数調整機構が、前記メンブレン部と所定間隔をおいて対向するように設けられた対向電極と、該対向電極及び前記メンブレン部の間に直流バイアス電圧を印加する直流バイアス電源と、を具備するものである。
【０００８】
また、本発明に係る超音波受信素子は、前記ダイヤフラムにおけるメンブレン部以外の部分と前記対向電極との間に絶縁体が介在され、該絶縁体と前記メンブレン部と前記対向電極とによって包囲される空間が、外気圧より低く減圧されたものである。
【０００９】
また、本発明に係る超音波受信素子は、前記ダイヤフラムにおけるメンブレン部以外の部分と前記対向電極との間に絶縁体が介在され、前記メンブレン部と前記対向電極の少なくともいずれか一方に、前記絶縁体と前記メンブレン部と前記対向電極とによって包囲される空間を外部と連通するための連通穴が形成されたものである。
【００１０】
また、本発明に係る超音波トランスデューサは、半導体基板上に、圧電材料の圧電効果を利用して超音波を送信する超音波送信素子と、該超音波送信素子から送信された超音波を受信してその音圧を検出する請求項１乃至４のいずれかに記載の超音波受信素子とがそれぞれ設けられたものである。
【００１１】
また、本発明に係る超音波トランスデューサは、前記超音波送信素子は、前記圧電材料がバルク材であることを特徴とするものである。
【００１２】
また、本発明に係る超音波トランスデューサは、前記超音波送信素子は、前記圧電材料が薄膜材であることを特徴とするものである。
【００１３】
また、本発明に係る超音波トランスデューサは、前記超音波送信素子の前記半導体基板全体に占める面積比率が、前記超音波受信素子の前記半導体基板全体に占める面積比率より大きいものである。
【００１４】
また、本発明に係る超音波トランスデューサは、前記超音波送信素子と前記超音波受信素子のうち、少なくともいずれか一方がアレイ状に設けられたものである。
【発明の効果】
【００１５】
本発明に係る超音波受信素子によれば、ダイヤフラムに設けられた半導体ピエゾ抵抗素子は微細加工が容易なので、超音波受信素子の小型化に適している。また、半導体ピエゾ抵抗素子の抵抗値変化を検出する音圧検出回路は、そのインピーダンスが低いためＳ／Ｎ比が高く、受信感度の高い超音波受信素子を作製することができる。更に、共振周波数調整機構を設けたことにより、超音波受信素子の受信感度をより高めることができる。
【００１６】
また、本発明に係る超音波受信素子によれば、メンブレン部と対向電極との間に直流バイアス電圧が印加されると、メンブレン部に歪が生じてダイヤフラムの共振周波数が変化する。このように、簡易な構成によってダイヤフラムの共振周波数を容易に調整することができる。
【００１７】
また、本発明に係る超音波受信素子によれば、絶縁体とメンブレン部と対向電極とによって包囲される空間が外気圧より低く減圧されているので、メンブレン部は空間内の空気に妨げられることなく自由に変形することができる。これにより、超音波の音圧に対してメンブレン部が十分に応答するので、正確な音圧検出が可能となる。
【００１８】
また、本発明に係る超音波受信素子によれば、絶縁体とメンブレン部と対向電極とによって包囲される空間内の空気は連通穴を介して外部との間を自由に行き来できるので、メンブレン部は空間内の空気に妨げられることなく自由に変形することができる。これにより、超音波の音圧に対してメンブレン部が十分に応答するので、正確な音圧検出が可能となる。
【００１９】
また、本発明に係る超音波トランスデューサによれば、超音波送信素子として圧電方式のものを採用したので、素子を小型化しても比較的大きな送信出力を確保することができる。一方、超音波受信素子としてピエゾ抵抗方式のものを採用したので、素子を小型化しやすく、また小型化しても高い受信感度を確保することができる。以上により、超音波トランスデューサ全体として小型且つ高感度化を図ることができる。
【００２０】
また、本発明に係る超音波トランスデューサによれば、超音波送信素子を構成する圧電材料がバルク材なので、高い送信出力を得ることができる。
【００２１】
また、本発明に係る超音波トランスデューサによれば、超音波送信素子を構成する圧電材料が薄膜材なので、半導体プロセスの中で半導体基板上に作製することができる。従って、超音波受信素子の集積化が容易になる。
【００２２】
また、本発明に係る超音波トランスデューサによれば、超音波送信素子の面積比率が大きい分、大きな送信出力を得られる一方、超音波受信素子の面積比率は小さくても高い受信感度を確保することができる。これにより、小型且つ高感度の超音波トランスデューサを実現することができる。
【００２３】
また、本発明に係る超音波トランスデューサによれば、超音波送信素子と超音波受信素子のうち、少なくともいずれか一方がアレイ状に設けられているので、アレイを構成する各要素を順次切り替えることにより、或いはフェーズドアレイ方式を用いることにより、対象物の２次元的な場所情報が得られ、これを画像化することができる。
【発明を実施するための最良の形態】
【００２４】
まず、本発明の実施例に係る超音波受信素子の構成について、図面に基づいて説明する。図１及び図２は、本実施例に係る超音波受信素子１を示す図であり、図１は概略平面図、図２は図１におけるＡ−Ａ断面を示す概略縦断面図である。超音波受信素子１は、超音波を受信するためのダイヤフラム２と、このダイヤフラム２を下方から支持する支持体３と、ダイヤフラム２と支持体３の間に介在された絶縁体４と、ダイヤフラム２が受信した超音波の音圧を検出するための音圧検出回路（図１と図２には不図示）と、ダイヤフラム２の共振周波数を受信超音波の周波数に合わせる共振周波数調整機構５と、を備えるものである。尚、本超音波受信素子１は、材料に亀裂が発生し又は亀裂が進展する際に生じる弾性波、いわゆるアコースティックエミッションを検出することができ、例えば、材料評価や構造物の保守検査等の用途に用いられる。
【００２５】
支持体３は、ダイヤフラム２を下方から支持する役割と、ダイヤフラム２の対向電極としての役割とを果たすものである。この支持体３は、シリコンからなる板状の部材であって、平面視で略矩形形状を有するとともに、その厚みは例えば３００〜５００μｍ程度である。そして、この支持体３の中央部を貫通して、横断面形状が略円形の連通穴６が、上面から底面に達するように形成されている。尚、連通穴６の個数及び横断面形状は、任意に設計変更が可能である。また、支持体３の材質は、対向電極として使用可能であれば、シリコン以外の半導体やその他の導電性部材とすることも可能である。
【００２６】
絶縁体４は、ダイヤフラム２と支持体３とを電気的に隔絶するためのものである。この絶縁体４は、二酸化ケイ素からなる板状の部材であって、図１及び図２に示すように、その平面視形状は支持体３と略等しい矩形である。また、図２では模式的に図示しているが、絶縁体４の実際の厚みは支持体３よりはるかに薄く、例えば１〜３μｍ程度である。そして、この絶縁体４の中央部を貫通して、横断面形状が略矩形の貫通穴７が形成されている。このように構成される絶縁体４は、その外縁位置を支持体３の外縁位置に合わせるようにして支持体３の上に載置され、その底面が支持体３の上面に固定される。この時、絶縁体４の貫通穴７の下部開口と、支持体３の連通穴６の上部開口とが連通した状態となっている。尚、貫通穴７の横断面形状は、任意に設計変更が可能であり、例えば図３に示すように、横断面形状を円形に形成することも可能である。この場合、後述するメンブレン部の対称性が良く、いわゆるＱ値が大きくなるので、横断面形状が矩形の場合よりも受信感度を高くすることができる。また、絶縁体４の材質は導電性のない他の部材であってもよく、絶縁体４の平面視形状は支持体３の形状に応じて適宜設計変更が可能である。
【００２７】
ダイヤフラム２は、超音波の音圧変化を電圧変化に変換して検出するためのものである。このダイヤフラム２は、シリコンからなる薄膜状の部材であって、その平面視形状は支持体３及び絶縁体４と略等しい矩形形状である。このように構成されるダイヤフラム２は、図２に示すように、その外縁位置を絶縁体４の外縁位置に合わせるようにして絶縁体４の上に載置され、その底面が絶縁体４に固定される。この時、ダイヤフラム２における前記貫通穴７の直上位置には、絶縁体４に固定されることなく自由に変形可能なメンブレン部８が形成されている。尚、ダイヤフラム２の平面視形状は、絶縁体４の形状に応じて適宜設計変更が可能である。
【００２８】
音圧検出回路は、メンブレン部８に生じた歪みの大きさから受信超音波の音圧を検出するものである。図４は、音圧検出回路９の構成を示す概略図である。音圧検出回路９は、４個の半導体ピエゾ抵抗素子Ｒ１，Ｒ２，Ｒ３，Ｒ４を含んだフルブリッジ回路として構成される。各半導体ピエゾ抵抗素子Ｒ１，Ｒ２，Ｒ３，Ｒ４は、シリコンからなるメンブレン部８の表面に、半導体プロセスによって形成されたものである。４個の半導体ピエゾ抵抗素子Ｒ１，Ｒ２，Ｒ３，Ｒ４は、図１に示すように、ダイヤフラム２のメンブレン部８の最も外側位置にそれぞれ設けられ、そのうち２個の半導体ピエゾ抵抗素子Ｒ１，Ｒ２がダイヤフラム２の中心位置を挟んで所定間隔で相対向するように設けられる一方、残りの２個の半導体ピエゾ抵抗素子Ｒ３，Ｒ４がこれに直交する方向に所定間隔で相対向するように設けられている。このような音圧検出回路９によれば、各半導体ピエゾ抵抗素子Ｒ１，Ｒ２，Ｒ３，Ｒ４の抵抗値が変化することによって回路全体としてのバランスが崩れると、不平衡電圧としての出力電圧を検出し、この出力電圧の大きさによって、受信超音波の音圧を検出することが可能となっている。尚、半導体ピエゾ抵抗素子Ｒ１，Ｒ２，Ｒ３，Ｒ４の個数及び配置位置は、本実施例に限られず、ブリッジ回路を構成できる範囲内で適宜設計変更が可能である。
【００２９】
共振周波数調整機構５は、ダイヤフラム２の共振周波数を受信超音波の周波数に合わせることにより、超音波受信素子１の受信感度を高めるためのものである。この共振周波数調整機構５は、図２に示すように、直流バイアス電源１０を含んで構成され、その一端側がダイヤフラム２に、他端側が対向電極としての支持体３にそれぞれ電気的に接続されている。このように構成される共振周波数調整機構５によれば、ダイヤフラム２と支持体３との間に直流バイアス電圧を印加して、ダイヤフラム２のメンブレン部８に歪を生じさせることにより、ダイヤフラム２の共振周波数を任意の大きさに調整することができる。
【００３０】
以上のように構成される超音波受信素子１によれば、メンブレン部８に設けられた半導体ピエゾ抵抗素子Ｒ１，Ｒ２，Ｒ３，Ｒ４は微細加工が容易なので、超音波受信素子１の小型化に適している。また、ピエゾ抵抗効果を利用して超音波の音圧を検出する方式では、音圧検出回路９のインピーダンスが低いためＳ／Ｎ比が高くなる。これにより、小型で受信感度の高い超音波受信素子１を作製することができる。
【００３１】
次に、超音波受信素子１の動作について説明する。ダイヤフラム２が超音波を受信すると、超音波の音圧を受けたメンブレン部８は絶縁体４側へ膨らむように変形しようとする。ここで、前述のようにメンブレン部８と絶縁体４と支持体３とによって包囲される空間１１は連通穴６を介して外部１２に連通しているため、空間１１内の空気は、メンブレン部８から押圧力を受けると、外部１２との間を自在に行き来することができる。これにより、超音波の音圧を受けたメンブレン部８は、空間１１内の空気に妨げられることなく、自在に変形することができる。そして、メンブレン部８に歪みが生じると、メンブレン部８に設けられた４個の半導体ピエゾ抵抗素子Ｒ１，Ｒ２，Ｒ３，Ｒ４の抵抗値が変化し、音圧検出回路９によって受信超音波の音圧が検出される。また、共振周波数調整機構５によって、ダイヤフラム２の共振周波数が受信超音波の周波数に合わされることにより、超音波受信素子１の高感度化が図られる。
【００３２】
尚、本実施例では、メンブレン部８と絶縁体４と支持体３とによって包囲される空間１１を外部１２に連通するため、支持体３に連通穴６を形成しているが、これに限られず、図に詳細は示さないが、支持体３には連通穴６を設けずにメンブレン部８に連通穴６を設けてもよく、或いは支持体３とメンブレン部８の両方に連通穴６を設けてもよい。また、超音波の音圧に対してメンブレン部８を十分に応答させる手段としては、空間１１を外部１２と連通する連通穴６を形成する以外に、図示しないポンプ等を用いて空間１１の内部を減圧することも可能である。
【００３３】
次に、超音波受信素子１を用いた超音波トランスデューサについて説明する。図５は、本実施例に係る超音波トランスデューサ１３を示す概略斜視図である。尚、図５では説明の便宜上、一部を破断した状態で示している。本超音波トランスデューサ１３は、平面視で略円形の半導体基板１４の上に、超音波を送信する超音波送信素子１５と、この超音波送信素子１５から発せられて対象物で反射された超音波を受信する超音波受信素子１６とがそれぞれ設けられたものである。
【００３４】
超音波受信素子１６は、図５に詳細は示さないが、図１及び図２に示す超音波受信素子１と同じ構成を備えるものであり、ここでは詳細な説明を省略する。この超音波受信素子１６は、平面視で半導体基板１４より小径の円形であって、その中心位置を半導体基板１４の中心位置に一致させるようにして、半導体基板１４の上面に設けられている。
【００３５】
超音波送信素子１５は、圧電材料の圧電効果を利用して超音波を発生させる従来公知のものである。この超音波送信素子１５は、図５に示すように、平面視で略ドーナツ型を有し、その外径が半導体基板１４と略同径であって、その内径が超音波受信素子１６より若干大径に形成されている。このように構成される超音波送信素子１５は、超音波受信素子１６を包囲するようにして、半導体基板１４の上面に設けられている。尚、超音波送信素子１５を構成する圧電材料の材質としては、いわゆるＰＺＴ〔Ｐｂ（Ｚｒ，Ｔｉ）Ｏ３の略形〕や、いわゆるＰＭＮ−ＰＴ〔Ｐｂ（Ｚｎ１／３Ｎｂ２／３）Ｏ３−ＰｂＴｉＯ３の略形〕等を用いることが可能である。また、圧電材料は、バルク材として形成しても、薄膜材として形成してもよい。バルク材として形成する場合、大きな送信出力を得られるという利点がある。一方、薄膜材として形成する場合、従来公知のスパッタリング法やゾルゲル法やＣＶＤ法等により、半導体プロセスの中で半導体基板１４上に作製することができる。従って、圧電材料をバルク材として形成した場合に半導体基板１４上に固定する必要があるのと比較して、超音波送信素子１５の集積化が容易になる。
【００３６】
尚、半導体基板１４の形状は、平面視で円形に限定されず、例えば平面視で矩形に形成することも可能であり、これに応じて超音波送信素子１５や超音波受信素子１６の形状も適宜設計変更が可能である。
【００３７】
このように、超音波トランスデューサ１３では、超音波送信素子１５として、小型化しても比較的大きな送信出力を得られる圧電方式のものを採用する一方、超音波受信素子１６として、小型化した場合に圧電方式よりも高い受信感度を得られるピエゾ抵抗方式のものを採用している。これにより、小型且つ高感度の超音波トランスデューサ１３を実現することができる。
【００３８】
また、超音波受信素子１６は、小型化して受信面積を小さくしても比較的高い受信感度が得られる一方、超音波送信素子１５は、送信面積を大きくした方が送信出力をより大きく確保することができる。従って、半導体基板１４上における超音波送信素子１５と超音波受信素子１６の面積比率としては、超音波受信素子１６の受信面積をなるべく小さくして、その分、超音波送信素子１５の送信面積をなるべく大きくした方が好適である。
【００３９】
ここで、図６は、超音波トランスデューサ１３を構成する超音波送信素子１５と超音波受信素子１６の配置の仕方に関し、図５に示したものとは別の配置例を示したものである。図６Ａに示す配置例は、平面視で円形の半導体基板１４（不図示）の上に、中心位置を半導体基板１４と一致させるようにして平面視で円形の超音波送信素子１５を設けるとともに、これを包囲するようにして平面視でリング型の超音波受信素子１６を設けたものである。ここで、超音波送信素子１５は、半導体基板１４より若干小径に形成され、超音波受信素子１６は、その内径が超音波送信素子１５より若干大径に、その外径が半導体基板１４と略同径に形成されている。また、図６Ｂに示す配置例は、平面視で円形の半導体基板１４（不図示）の上に、中心位置を半導体基板１４と一致させるようにして平面視でリング型の超音波受信素子１６を設けるとともに、これを包囲するようにして平面視でリング型の超音波送信素子１５を設けたものである。ここで、超音波送信素子１５は、その外径が半導体基板１４と略同径に、その内径が超音波受信素子１６の外径より若干大径に形成されている。また、図６Ｃに示す配置例は、平面視で円形の半導体基板１４（不図示）の上に、平面視で扇形の超音波送信素子１５と、同じく平面視で扇形の超音波受信素子１６とを、半導体基板１４の周方向に向かって所定間隔で交互に設けたものである。ここで、前述のように、超音波受信素子１６の受信面積をなるべく小さく、超音波送信素子１５の送信面積をなるべく大きくして超音波トランスデューサ１３の小型且つ高感度を図れるよう、超音波送信素子１５の中心角を大きく形成するとともに、超音波受信素子１６の中心角を小さく形成している。尚、超音波送信素子１５と超音波受信装置の配置の仕方は、図６の配置例に限定されるものではなく、適宜設計変更が可能である。
【００４０】
また、図７は、超音波送信素子１５と超音波受信素子１６のいずれか一方又は双方をアレイ状に設けた配置例を示す図である。尚、本発明においてアレイ状とは、複数のものが相隣接して配列された状態を意味する。ここで、図７Ａに示す配置例は、図６Ａに示す配置例において、超音波受信素子１６をその周方向に向かって複数個に分割したものである。尚、超音波受信素子１６だけでなく、超音波送信素子１５も複数個に分割することができる。また、図７Ｂに示す配置例は、図６Ｂに示す配置例において、超音波送信素子１５と超音波受信素子１６の双方を、その径方向に向かってそれぞれ複数個に分割したものである。
【００４１】
このように、超音波送信素子１５や超音波受信素子１６を複数個に分割すれば、超音波送信素子１５を駆動する送信回路と、超音波受信素子１６を駆動する受信回路を、個々の超音波送信素子１５や超音波受信素子１６に対して順次切り替えながら接続することにより、対象物からの反射音を検出するか否かによって、対象物についての２次元的な場所情報が得られ、これを画像化することができる。また、いわゆるフェーズドアレイ方式を用い、個々の超音波送信素子１５を駆動する順序と駆動遅延時間を制御して、任意の超音波ビームを発生させ、これで対象物を走査することにより、対象物についての２次元画像情報を得ることができる。
【産業上の利用可能性】
【００４２】
本発明に係る超音波トランスデューサは、医療用途以外に、金属の欠陥検査用等にも用いることができる。
【図面の簡単な説明】
【００４３】
【図１】本発明の実施例に係る超音波受信素子１を示す概略平面図。
【図２】図１におけるＡ−Ａ断面を示す概略縦断面図。
【図３】本発明の他の実施例に係る超音波受信素子１を示す概略平面図。
【図４】音圧検出回路９の構成を示す概略図。
【図５】本発明の実施例に係る超音波トランスデューサ１３を示す概略斜視図。
【図６】超音波送信素子１５と超音波受信素子１６の他の配置例を示す概略平面図。
【図７】超音波送信素子１５と超音波受信素子１６のいずれか一方又は双方をアレイ状に設けた配置例を示す概略平面図。
【符号の説明】
【００４４】
１，１６  超音波受信素子
２  ダイヤフラム
３  支持体（対向電極）
４  絶縁体
５  共振周波数調整機構
６  連通穴
８  メンブレン部
９  音圧検出回路
１０  直流バイアス電源
１１  空間
１２  外部
１３  超音波トランスデューサ
１４  半導体基板
１５  超音波送信素子
Ｒ１，Ｒ２，Ｒ３，Ｒ４  半導体ピエゾ抵抗素子
【図１】
2009071395.tif 000003
【図２】
2009071395.tif 000004
【図３】
2009071395.tif 000005
【図４】
2009071395.tif 000006
【図５】
2009071395.tif 000007
【図６】
2009071395.tif 000008
【図７】
2009071395.tif 000009